(57)【特許請求の範囲】
【請求項１】
プレキャストコンクリート板上に定着され、打設される現場打ちコンクリートにより該コンクリート内に埋設されて中空スラブ構造を形成する上下に貫通空間を有する埋込材であって、
埋込材は少なくとも２つの埋込部材からなり、各埋込部材は第１の上下貫通空間を形成するようにして上下方向の異なる位置にある少なくとも２つのブリッジ材により結合されて１つの埋込材とされており、前記少なくとも２つのブリッジ材における最上位にあるブリッジ材は埋込材の上面よりも低い位置に形成されていることを特徴とする埋込材。
【請求項２】
埋込材を構成する少なくとも１つの埋込部材は第２の上下貫通空間を有していることを特徴とする請求項１に記載の埋込材。
【請求項３】
埋込材を構成する少なくとも１つの埋込部材は上面または下面に開放する凹溝を有していることを特徴とする請求項１に記載の埋込材。
【請求項４】
プレキャストコンクリート板上に複数枚の埋込材を定着してなる中空スラブ用基板であって、該複数枚の埋込材のうちの少なくとも一部あるいは全部の埋込材として請求項１〜３のいずれかに記載の埋込材が用いられていることを特徴とする中空スラブ用基板。
【発明の詳細な説明】
【技術分野】
【０００１】
本発明は、プレキャストコンクリート板上に定着され、打設される現場打ちコンクリートにより該コンクリート内に埋設されて中空スラブ構造を形成する埋込材と、該埋込材を持つ中空スラブ用基板に関する。
【背景技術】
【０００２】
最近のコンクリート系集合住宅の床構造は、プレキャストコンクリート板（ＰＣａ板）上に軽量な埋込材を定着し、その上から現場打ちコンクリートを打設して該現場打ちコンクリート内に埋込材を埋設するようにした中空スラブ構造が広く採用されている。上記の中空スラブ構造において、中空部（埋込材）の上下のコンクリートが共振して遮音性能が低下するという問題が提起され、それを回避する埋込材として、厚さ方向に現場打ちコンクリートが貫通することのできる貫通空間を形成したもの、さらには、貫通空間に接続するようにして上方または下方に開放した凹溝を形成したものなど提案されている（特許文献１，２など参照）。
【０００３】
このような貫通空間や凹溝を埋込材に形成することにより、中空部（埋込材）の上下のコンクリートは一体化し、中空部を単位とした共振現象を可及的に減少させることができることから、遮音性能の向上が図られる。また、貫通空間に接続する凹溝を形成する場合には、該凹溝内にもコンクリートが入り込むことにより中空部の質量がさらに増加するので、遮音性能は一層向上する。
【特許文献１】特許第２６０１３１４号公報
【特許文献２】特開２００４−１５０２７０号公報
【発明の開示】
【発明が解決しようとする課題】
【０００４】
中空スラブ構造において、いわゆる太鼓現象が起こるのを抑制して高い遮音性能を確保するには、埋込材上方のコンクリートとプレキャストコンクリート板とが広い面積で一体化することが望ましく、そのために、埋込材に形成する貫通空間は広い平面積を有することが望ましい。また、打設したコンクリートが迅速かつ確実に貫通空間内に流入できるように、埋込材の側面側でも貫通空間が開放していることが望ましい。
【０００５】
しかし、埋込材上下面および側面における貫通空間の開口面積が大きくなると、埋込材における該貫通空間部分での有効断面積が小さくなって強度が低下し、埋込材をプレキャストコンクリート板に定着する前に、持ち運び作業中などにおいて、貫通空間の部分で破損が生じる恐れがある。
【０００６】
図７は、特許文献１に記載される埋込材１０の平面図である。この埋込材１０は本体部分１１を上下方向に貫通するスリット状の貫通孔（貫通空間）１３が形成されている。この形態のものは、本体部１１の側面側に開放部がないことから、強度的な問題は生じないが、現場打ちコンクリートが貫通孔（貫通空間）１３内へ迅速に流入しづらいという課題がある。
【０００７】
図８は、特許文献２に記載される埋込材２０であり、この埋込材２０は、上方に開放する凹溝２１と下方に開放する凹溝２２とが貫通孔（貫通空間）２３で連通するようにされており、上下のコンクリートの一体化も容易かつ確実であり、凹溝２１，２２内に入り込むコンクリートによって、中空部の所要の質量増加も達成できる。しかし、この形状の埋込材２０において、例えば上方に開放する１つの凹溝２１ａを境として、一方を第１の埋込部材２０ａ、他方を第２の埋込部材２０ｂとした場合、両者を接合している左右のブリッジ部２４ａ、２４ｂは共に同じ水平面内に位置しており、埋込材２０に曲げ荷重が生じたときに、その部分で破損しやすいという課題がある。下方に開放する凹溝２２への現場打ちコンクリートの流入を容易かつ確実にするために、貫通孔（貫通空間）２３の平面積を大きくすることが求められるが、貫通孔（貫通空間）２３の平面積を大きくと、ブリッジ部２４ａ、２４ｂの有効断面積はそれに応じて小さくなり、一層、破損しやすくなる。そのために、貫通孔（貫通空間）２３の大きさには自ずと限界がある。
【０００８】
本発明は、一部に現場打ちコンクリートが充填される上下方向の貫通空間を備えた埋込材の持つ上記のような不都合を解消することを目的としており、より多くの量のコンクリートをより容易に充填することのできる貫通空間を備えながら、搬送作業中などにおいて、その部分で破損が生じるのを回避できるようにした、中空スラブ構造で用いる埋込材を提供することを目的とする。また、その埋込材を定着した中空スラブ基板を提供することを目的とする。
【課題を解決するための手段】
【０００９】
本発明による埋込材は、プレキャストコンクリート板上に定着され、打設される現場打ちコンクリートにより該コンクリート内に埋設されて中空スラブ構造を形成する上下に貫通空間を有する埋込材であって、該埋込材は少なくとも２つの埋込部材からなり、各埋込部材は第１の上下貫通空間を形成するようにして上下方向の異なる位置にある少なくとも２つのブリッジ材により結合されて１つの埋込材とされていることを特徴とする。
【００１０】
本発明による埋込材では、埋込材を構成する各埋込部材が上下方向の異なる位置にある少なくとも２つのブリッジ材により結合されているので、同一水平面上にブリッジ材が位置しているものと比較して、曲げに対する耐性は大きくなる。そのために、曲げに対する所要の強度を確保した状態で、第１の上下貫通空間の容積および周囲の開放面積を大きくすることができ、中空スラブ構造とするときの現場打ちコンクリートの打設作業が容易化し、かつ高い遮音性能を持つ中空スラブ構造が得られる。
【００１１】
ブリッジ材は、埋込材の対向する側面に沿って一方は高い位置に、他方はそれよりも低い位置に、少なくともそれぞれ１つずつ形成されていれば、所期の目的は達成される。一方の側面側の上下に２箇所または２箇所以上のブリッジ材を形成し、他方の側面側の上下２箇所または２箇所以上にブリッジ材を形成するようにしてもよい。埋込材に求められる第１の上下貫通空間の容積や曲げに対する強度などを考慮して、ブリッジ材の形成位置や本数を適宜設定すればよい。各ブリッジ材の有効断面積についても同様である。
【００１２】
埋込材の素材としては、軽量でありまた打設されるコンクリートによって変形しないことを条件に任意のものを用いうるが、発泡ポリスチレンのような合成樹脂発泡成形品が最も好適である。他にスチレン系樹脂やポリオレフィン系樹脂、硬質ウレタン樹脂、フェノール樹脂やポリイソチアネート樹脂、エポキシ樹脂などの発泡体、もしくは、これらの樹脂を適宜混合した発泡体を使用することができる。発泡方法は任意であり、押出発泡やビーズ型内発泡など使用する合成樹脂材料と成形しようとする埋込材の形状に応じて適宜選択すればよい。
【００１３】
本発明による埋込材において、好ましくは、少なくとも２つのブリッジ材における最上位にあるブリッジ材は埋込材の上面よりも低い位置に形成される（請求項２）。この形態の埋込材では、埋込材の上面と最上位にあるブリッジ材との間に段差が形成されるので、その段差を設備用配管の引き回しに利用することができる。
【００１４】
埋込材を構成する各埋込部材の形状は基本的に任意であり、中実体であってもよい。より高い遮音性能を得るために、少なくとも１つの埋込部材は第２の上下貫通空間を有するようにしてもよく（請求項３）、また、上面または下面に開放する凹溝を有するようにしてもよい（請求項４）。第２の上下貫通空間を有する埋込部材と上面または下面に開放する凹溝を有する埋込部材との双方をブリッジ材で結合して１つの埋込材としてもよい。
【００１５】
本発明は、さらに、プレキャストコンクリート板上に複数枚の埋込材を定着してなる中空スラブ用基板であって、該複数枚の埋込材のうちの少なくとも一部あるいは全部の埋込材として上記の埋込材が用いられていることを特徴とする中空スラブ用基板をも開示する（請求項５）。従来知られた中空スラブ用基板と同様、必要な場合には、中空スラブ用基板には所要の配筋が施される。
【発明の効果】
【００１６】
本発明によれば、より多くの量の現場打ちコンクリートをより容易に充填することのできる上下貫通空間を備えながら、搬送作業中などにおいて、その部分で破損が生じるのを回避できるようにした中空スラブ構造で用いる埋込材、およびその埋込材を定着した中空スラブ基板が得られる。
【発明を実施するための最良の形態】
【００１７】
以下、図面を参照して、本発明の一実施の形態を説明する。図１は本発明による埋込材の一形態を示す斜視図、図２は本発明による埋込材の他の形態を示す斜視図である。図３は本発明による埋込材のさらに他の形態を示す斜視図と断面図であり、図４は図３に示す埋込材を裏面から見た斜視図である。図５，図６は、図３，図４に示した埋込材を用いた中空スラブ用基板を説明する図である。
【００１８】
図１に示す第１形態の埋込材３０は２つの埋込部材３０ａ，３０ｂで構成され、該２つの埋込部材３０ａ，３０ｂは、両側面の下方側に位置する２つの下位ブリッジ材３１ａ，３１ｂ（３１ｂは図示されない）と、それよりも上位かつ中央寄りに位置する２つの上位ブリッジ材３２ａ，３２ｂとによって一体となっている。そして、２つの埋込部材３０ａ，３０ｂの間は、ブリッジ材の長さに応じた幅の第１の上下貫通空間３３とされている。
【００１９】
図示のものでは、上位ブリッジ材３２ａ，３２ｂは埋込材３０の上面よりも数ｃｍ程度低い位置に形成されており、その段差部を利用して設備配管を配設することができる。また、各埋込部材３０ａ，３０ｂには、前記第１の上下貫通空間３３に直交する方向に、第２の上下貫通空間３４ａ，３４ｂが形成されている。該第２の上下貫通空間３４ａ，３４ｂは、上下面に加えて、両端面側でも開放しており、上面側には上位連結部３５ａ，３５ｂが、また端面側は下位連結部３６ａ，３６ｂ（３６ｂは図示されない）がそれぞれ形成されていて、強度を確保している。図１に示す埋込材３０において、所要の強度が確保されることを条件に、下位ブリッジ材３１ａ，３１ｂのいずれか一方、および上位ブリッジ材３２ａ，３２ｂといずれか一方を省略することもできる。
【００２０】
図２に示す第２形態の埋込材４０も２つの埋込部材４０ａ，４０ｂで構成される。２つの埋込部材４０ａ，４０ｂは、一方の側面の下方側に形成される１つの下位ブリッジ材４１と、それよりも上位であるが埋込材の上面よりは低い位置において反対側の側壁に形成される１つの上位ブリッジ材４２とにより一体となっている。そして、２つの埋込部材４０ａ，４０ｂの間は、ブリッジ材の長さに応じた幅の第１の上下貫通空間４３とされている。また、２つの埋込部材４０ａ，４０ｂには、下面側と両端面側を開放する凹溝４４ａ，４４ｂが形成されている。
【００２１】
図３と図４に示す第３形態の埋込材５０は、左右の埋込部材５０ａ，５０ｂと中央の埋込材５０ｃとで構成される。各埋込材５０ａ，５０ｃ，５０ｂは、図１に示した第１形態の埋込材３０と同様、両側面の下方側に位置する２つの下位ブリッジ材５１ａ，５１ｂと、それよりも上位かつ中央寄りに位置する２つの上位ブリッジ材５２ａ，５２ｂとによって一体となっている。そして、埋込部材５０ａと５０ｃの間、および埋込部材５０ｃと５０ｂには、ブリッジ材の長さに応じた幅の第１の上下貫通空間５３ａ，５３ｂがそれぞれ形成されている。また、この埋込材５０でも、上位ブリッジ材５２ａ，５２ｂは埋込材５０の上面よりも数ｃｍ程度低い位置に形成されており、その段差部は設備配管を配設するのに利用される。
【００２２】
左右の埋込部材５０ａ，５０ｂには、第１形態の埋込材３０と同様、前記第１の上下貫通空間５３ａ，５３ｂに直交する方向に、第２の上下貫通空間５４ａ，５４ｂが形成されている。しかし、各第２の上下貫通空間５４ａ，５４ｂは、上下面と中央の埋込部材５０ｃ側の端面側では開放しているが、両側端面側では閉塞している。それにより、左右の埋込部材５０ａ，５０ｂは全幅にわたる壁部５５ａ，５５ｂが形成されることとなり、所要の強度が確保される。
【００２３】
中央の埋込材５０ｃは、第１の上下貫通空間５３ａ，５３ｂに直交する方向に、下面と両側端面を開放した凹溝５６を有しており、該凹溝５６は中央部５７の近傍を除いて上面側も開放している。そして、中央部５７には凹溝５６に直交する方向に上面側を開放した第２の凹溝５８が形成されていて、該第２の凹溝５８も設備配管を配設するのに利用される。図示のものでは、第２の凹溝５８の底面は凹溝５６の天面よりも低い位置となっており、２つの凹溝５６，５８の交点には開口５９が形成されている。
【００２４】
なお、各埋込部材５０ａ，５０ｂ，５０ｃの底面には、厚さ数ｍｍ〜１０ｍｍ程度の多数の凸部６０が形成されており、埋込材５０を未硬化のプレキャストコンクリート板上に押し付けることにより、該凸部６０がコンクリート内に入り込んで、定着を確実にする。また、周壁部には縦方向の切り欠き６１が形成されており、埋込材５０を未硬化のプレキャストコンクリート板上に定着するときの釘打ちに利用される。
【００２５】
上記の各埋込材３０，４０，５０は、プレキャストコンクリート板上に定着されて中空スラブ用基板とされる。図５は埋込材５０をプレキャストコンクリート板２に定着した状態を模式的に示しており、図６は形成された中空スラブ用基板１の一部を断面で示している。プレキャストコンクリート板２には適宜の配筋３が行われ、所定の距離をおいてトラス筋４が立てられる。そして、トラス筋４の間に複数枚の埋込材（図示の例では埋込材５０）が定着されている。図示のもののように、定着する埋込材はすべて同じ形状のものであってもよいが、中空スラブ用基板１が床スラブのどの位置に配置されるかに応じて、異なった形状の埋込材を定着してもよく、一部に埋込材を定着しないようにしてもよい。
【００２６】
中空スラブ用基板１が建物躯体の梁の間に載置された後、現場打ちコンクリートが打設されて、コンクリート内に埋込材は埋設される。本発明による埋込材３０，４０，５０はすべて上下に貫通する広い空間を備えており、打設したコンクリートは該貫通空間を通ってプレキャストコンクリート板のコンクリートと確実に一体化する。そのために、いわゆる太鼓現象による共振の発生を確実に抑制することでき、高い遮音性能を持つ中空スラブ構造が構築される。しかも、埋込材を構成する各埋込部材は、上下方向の異なる位置にある少なくとも２つのブリッジ材５１，５２により結合されて１つの埋込材とされているので、曲げに対する耐性が大きくなり、運搬時などに不用意に破壊するのも確実に阻止される。
【図面の簡単な説明】
【００２７】
【図１】本発明による埋込材の一形態を示す斜視図。
【図２】本発明による埋込材の第２の形態を示す斜視図。
【図３】図３ａは本発明による埋込材の第３の形態を示す斜視図、図３ｂは図３ａのｂ−ｂ線に沿う断面図。
【図４】図３に示す埋込材を裏面から見た斜視図。
【図５】第３の形態の埋込材をプレキャストコンクリート板上に定着した状態を示す模式図。
【図６】第３の形態の埋込材を定着した中空スラブ用基板の一例を示す断面図。
【図７】従来の埋込材の一例を示す図。
【図８】従来の埋込材の他の例を示す図。
【符号の説明】
【００２８】
１…中空スラブ用基板、２…プレキャストコンクリート板、３…配筋、４…トラス筋、３０，４０，５０…埋込材、３０ａ，３０ｂ，４０ａ，４０ｂ，５０ａ，５０ｂ，５０ｃ…埋込部材、３３，４３，５３…第１の上下貫通空間、３１，４１，５１…下位ブリッジ材、３２，４２，５２…上位ブリッジ材
【図１】
0004705446.tif 000002
【図２】
0004705446.tif 000003
【図３】
0004705446.tif 000004
【図４】
0004705446.tif 000005
【図５】
0004705446.tif 000006
【図６】
0004705446.tif 000007
【図７】
0004705446.tif 000008
【図８】
0004705446.tif 000009